(57)【要約】  左利きまたは右利きの使用者による掴みと手動の調整を容易にするように構成された手術器具（１０、１００）。手術器具は、取り付け台（１６）によって手術器具の作業端部（１３、１１３）に取り付け可能な第１の端部（１２ａ）を有するロット（１１）を備える。ロッドは、使用者の第１の手で掴むための回転方向性を備えた柄（１４）につながれた第２の端部（１２ｂ）を有する。柄は、使用者が作業端部に対する指の角変位を調整することができるように、ロッドのまわりを回転可能であり、ロック部材（２０、１４６）は、面取りしたくぼみが作業端部に対して最適に配置されている際に、ロッドに対する柄の回転を防ぐ。【選択図】図４ａ
2015517354.tif 000002
【特許請求の範囲】
【請求項１】
左利きまたは右利きの使用者による掴みと手動の調整を容易にするように構成された手術器具（１０、１００）であって、
前記手術器具は、
第１の端部（１２ａ）と第２の端部（１２ｂ）を有するロット（１１）であって、第１の端部（１２ａ）が取り付け台（１６）によって手術器具の作業端部（１３、１１３）に固定して取り付け可能であり、第２の端部（１２ｂ）が使用者の第１の手で掴むための回転方向性を備えた柄（１４）につながれ、
柄は、使用者が作業端部に対する指の角変位を調整することができるように、ロッドのまわりを回転可能である、ロッド（１１）、および、
面取りしたくぼみが作業端部に対して快適に配置されている際に、ロッドに対する柄の回転を防ぐためのロック部材（２０、１４６）、を備えている、手術器具。
【請求項２】
柄は、前記回転方向性を与えるために、使用者の第１の手の指を収容するための面取りしたくぼみ（１５）を有する、請求項１に記載の手術器具。
【請求項３】
ロッド（１１）に取り付けられ、かつ、使用者の第２の手の指を収容するための面取りしたくぼみ（２６）を有する、第１のスライドスリーブ（２５）をさらに含む、請求項１または２に記載の手術器具。
【請求項４】
第２のスライドスリーブ（２５）をさらに含み、前記第１のスライドスリーブ（２５）と前記第２のスライドスリーブ（２５）は、使用者のどちらかの手で掴まれるように構成される、請求項３に記載の手術器具。
【請求項５】
スリーブの１つはロッドに沿ってかなり自由にスライドするような寸法で作られており、もう１つのスリーブは、ロッドを摩擦で把持するような寸法で作られ、必要に応じてそれを動かせるようになっている、請求項４に記載の手術器具。
【請求項６】
ロッドの第２の端部（１２ｂ）は、ロック部材の相補的なねじ山と柄を係合させるためにねじが刻設されており、ロック部材（２０）の表面は、柄の外表面に摩擦により圧力をかけてその回転を防ぐために、ロックされた位置で構成される、請求項１乃至５のいずれか１つに記載の手術器具。
【請求項７】
柄の面取りしたくぼみ（１５）には、柄の近位端部に向かって位置付けられた４つの窪んだへこみが設けられ、第１の窪んだへこみは柄の上面に沿って設けられ、第２と第３のへこみは側面に沿って設けられ、第４のへこみは柄の底面に沿って設けられ、これらが互いに対して位置付けられることにより、使用者の親指、人差し指、および、中指に、隣接するインタフェースがそれぞれ与えられる、請求項１乃至６のいずれか１つに記載の手術器具。
【請求項８】
４つの窪んだへこみは、互いに対して約９０°、角度方向に離間して配される、請求項７に記載の手術器具。
【請求項９】
柄の端面は、その遠位端部からその近位端部に向かって伸長するように形成され、近位端部の近くには窪んだへこみが設けられ、へこみは伸長して、柄の近位端部に向かって角をなして先細りになった一段高い隆起部のような表面支持部になる、請求項１乃至８のいずれか１つに記載の手術器具。
【請求項１０】
柄は軸を有する長手方向に伸長する本体（１７）を備え、第１の窪んだへこみは、他のへこみの少なくとも１つよりも深く前記軸に向かって本体に切り込まれている、請求項７に記載の手術器具。
【請求項１１】
隆起部のような表面支持部は一段高くなっており、かつ、突出した凸曲面を有していることによって、柄の本体の近位端部に使用者の人差し指を位置付けることを可能にしつつ、人差し指が前記近位端部に向かって滑るのを防ぐ、請求項９に記載の手術器具。
【請求項１２】
手術器具がメスであり、作業端部はメスの刃（１３）である、請求項１乃至１１のいずれか１つに記載の手術器具。
【請求項１３】
ロッドは深部手術で使用するための寸法で作られている、請求項１２に記載の手術器具。
【請求項１４】
ロッド（１１）は円形の断面を有している、請求項１乃至１３のいずれか１つに記載の手術器具。
【請求項１５】
ロッド（１１）は、面取りしたくぼみ（１５）に対するロッドの回転移動を防ぐために、非円形の断面である、請求項１乃至１３のいずれか１つに記載の手術器具。
【請求項１６】
左利きまたは右利きの使用者による掴みと手動の調整を容易にするように構成された手術器具であって、
前記手術器具は、
第１の端部（１２ａ）と第２の端部（１２ｂ）を有するロッド（１１）であって、第１の端部が取り付け台（１６）によって手術器具の作業端部（１３、１１３）に取り付け可能であり、第２の端部が使用者の第１の手で掴むのに適している、ロッド、および、
ロッドの第１と第２の端部の中間で取り付けられ、かつ、使用者の第２の手の指を収容するための面取りしたくぼみ（２６）を有する、スライドスリーブ（２５）を備える、手術器具。
【請求項１７】
スライドスリーブは、使用者の第１の手で手術器具を掴むための柄として用いられ、使用者の第２の手で作業端部を操作するのを可能にする、請求項１６に記載の手術器具。
【請求項１８】
作業端部（１３，１１３）は、プローブ、切削道具、焼灼ヘッド、ドリル、フック要素のいずれか１つである、請求項１乃至１７のいずれか１つに記載の手術器具。
【請求項１９】
作業端部（１１３）は面取りした取り付け台（１１６）に固定され、取り付け台は、作業端部をその端部の近くで掴めるように、および、作業端部を詰まらせることなく回転させるような形状および寸法である、請求項１乃至１７のいずれか１つに記載の手術器具。
【請求項２０】
面取りした取り付け台（１１６）は、ロッド（１１）の第１の端部（１２ａ）で固定される、請求項１９に記載の手術器具。
【請求項２１】
面取りした取り付け台（１１６）は、作業端部（１１３）を突き出したり引っ込めたりするためにスライド移動することができる、請求項１９に記載の手術器具。
【請求項２２】
取り付け台（１１６）は、ロッドの端部上でスライドするとともに、押し下げるとスライドでき、解除すると取り付け台を適所でロックする簡易な指型解除器を有する、セルフロック式の環を含む、請求項２１に記載の手術器具。
【請求項２３】
取り付け台（１１６）を固定するために、および、さらなるスライドを防ぐために、ロックナット（１１７）を含む、請求項２１に記載の手術器具。  
【請求項２４】
ロッド（１１）の第１の端部（１２ａ）は、前後の微細な移動に適している、請求項１乃至２３のいずれか１つに記載の手術器具。
【請求項２５】
ロッド（１１）は、固定されたスリーブ（１２０）の内部で回転可能なねじの刻設された軸受（１１８）の内部で支持されたねじ部分を有しており、その結果、ねじの刻設された軸受の回転が、回転の方向に依存した方向にロッドの直線運動を誘発する、請求項２４に記載の手術器具。
【請求項２６】
ロッドの直線運動の範囲を測定するために、デジタル式のカリパス（１２１）を含む、請求項２４または２５に記載の手術器具。
【請求項２７】
ねじの既知のピッチに基づいて必要とされる直線運動を達成するために、適切な角変位によってねじの刻設された軸受（１１８）を回転させるのに適している制御装置（１２４）を含む、請求項２５に記載の手術器具。
【請求項２８】
作業端部（１３、１１３）に向かってロッド（１１）上に取り付けられた付属物（１２５）を含む、請求項１乃至２７のいずれか１つに記載の手術器具。
【請求項２９】
付属物（１２５）は、ロッドに固定してまたは摺動自在に取り付けられ、少なくとも１つの補助道具（１２７、１２８、１２９、１３０）を支持する、取り付け台（１２６）を備える、請求項２８に記載の手術器具。
【請求項３０】
付属物（１２５）は、流体を作業端部（１３、１１３）に方向づけるために、または、流体をそこから取り除くために、取り付け台（１６、２６）の内部で支持される少なくとも１つの管（１２７、１２８）を含む、請求項２９に記載の手術器具。
【請求項３１】
付属物（１２５）は、手術器具の作業端部を構成する摘出道具（１３１）に対するスライド移動のための突っ張り要素（１４４）であり、突っ張り要素は、使用中に摘出道具にてこの作用を与えるように構成される、請求項２９に記載の手術器具。
【請求項３２】
補助道具（１３０）は、手術器具の切削工具（１４３）と位置合わせされた開口部（１４５）を有する遮蔽要素（１４４）であり、周囲の組織に損傷を与えるリスクなく、開口部（１４５）を通って切削工具を貫通させることができる、請求項２９に記載の手術器具。
【請求項３３】
遮蔽要素（１４４）は、周囲の組織への熱の流れを阻害する断熱材料から形成される、請求項３２に記載の手術器具。
【請求項３４】
取り付け台（１６、２６）は、ロッドの端部上でスライドするとともに、押し下げるとスライドでき、解除すると取り付け台を適所でロックする簡易な指型解除器を有する、セルフロック式の環である、請求項３０乃至３３のいずれか１つに記載の手術器具。
【請求項３５】
光を作業端部（１１３）に方向づけるための照明装置（１２９）を含む、請求項２８乃至３４のいずれか１つに記載の手術器具。
【請求項３６】
照明装置（１２９）は手術器具の取り付け台（１６、１１６）に固定される、請求項３５に記載の手術器具。
【請求項３７】
照明装置（１２９）は付属物（１２５）の取り付け台（１２６）に固定される、請求項３５に記載の手術器具。
【請求項３８】
取り付け台（１６、１１６）はロッド上で回転可能であり、したがって、照明装置（１２９）を付属物（１２５）とは無関係に回転させることができる、請求項３６に記載の手術器具。
【請求項３９】
スライドスリーブ（２５）に取り付けられ、かつ、作業端部（１３、１１３）に対するスライド移動に適した、少なくとも１つの補助道具（１３０）を含む、請求項３乃至３８のいずれか１つに記載の手術器具。
【請求項４０】
スライドスリーブ（２５）は、ロッドの端部上でスライドするとともに、押し下げるとスライドでき、解除すると取り付け台を適所でロックする簡易な指型解除器を有する、セルフロック式の環である、請求項３９に記載の手術器具。
【請求項４１】
補助道具（１３０）は、外科医が視野を見ることができるように、表示装置につながれ得る画像化装置、または、鏡を含む、請求項３９または４０に記載の手術器具。
【請求項４２】
請求項１乃至４１のいずれか１つの手術器具（１０、１００）を支持するための道具台（１３５）であって、
道具台は、一対の脚部（１３７）で安定して支持された棒（１３６）を含み、脚部の高さは、作業領域よりも上の所望の高さに棒（１３６）を位置付けるために調整される、道具台。
【請求項４３】
脚部（１３７）は伸縮自在に調整可能であるか、または、角度を変えること可能である、請求項４２に記載の道具台（１３５）。
【請求項４４】
手術器具（１０、１００）は、棒（１３６）によって支持される調整可能なスリーブ（２５）を備え、棒は、使用中に手術器具の回転と操作を可能にする支点として役立つ、請求項４２または４３に記載の道具台（１３５）。
【請求項４５】
スリーブ（２５）は棒（１３６）が収容される横方向の穴部（１４０）を備える、請求項４２または４３に記載の道具台（１３５）。
【請求項４６】
穴部（１４０）は、スリーブ内部での回転に適した、かつ、棒に対して相補的な形状の穴部を有する、軸受の一部である、請求項４５に記載の道具台（１３５）。
【請求項４７】
軸受は、道具を高度と方位角の両方で回転させることを可能にする球面軸受である、請求項４６に記載の道具台（１３５）。
【請求項４８】
棒（１３６）は水平面で回転可能である、請求項４２乃至４７のいずれか１つに記載の道具台（１３５）。
【請求項４９】
スリーブ（２５）は棒（１３６）で支持された中間要素によって支持される、請求項４２乃至４８のいずれか１つに記載の道具台（１３５）。
【請求項５０】
中間要素は球面軸受で支持され、棒に対する高度と方位角の両方での回転を可能にする、請求項４９に記載の道具台（１３５）。
【請求項５１】
棒は非均一な円形断面を有する、請求項４２乃至５０のいずれか１つに記載の道具台（１３５）。
【請求項５２】
カスケード式に取り付けられた請求項１乃至４１のいずれか１つに記載された２以上の手術器具（１０、１００）を含む、組み合わせた手術器具。
【請求項５３】
一対のカスケード式の手術器具のそれぞれのスリーブ（２５）は、連結要素（１４２）によって留められる、請求項５２に記載の組み合わせた手術器具。
【請求項５４】
２つの手術器具のそれぞれのロッドは連結要素（１４２）によって固定される、請求項５２に記載の組み合わせた手術器具。
【請求項５５】
手術中に患者の横に据え付けられ、かつ、請求項１乃至４１の手術器具を支持するために用いられる、道具台（１３５）であって、
手術器具の回転および操作を可能にする支点として役立つ、道具台（１３５）。
【請求項５６】
道具の柄またはロッドを内部で支持し、それを横方向だけでなく上下両方に傾けることを可能にするために、様々な幅の周辺溝を有する棒を含む、請求項５５に記載の道具台。
【請求項５７】
棒は柄のくぼんだへこみの直径と同じ直径を有する一般に円形の断面であり、したがって、柄を道具台で支持することが可能となる、請求項５６に記載の道具台。
【請求項５８】
棒は断面が非均一であり、面取りしたくぼみに対して一般的に相補的な形状の弓形の島が提供される、請求項５６に記載の道具台。
【請求項５９】
道具台は、外科的切開または創傷の端を分離させるために、または、深部の臓器および組織を抑えるために、外科医によって使用される開創器で支持され、その結果、切開の下の身体部分にアクセスできるようになる、請求項５５乃至５８のいずれか１つに記載の道具台。
【発明の詳細な説明】
【技術分野】
【０００１】
本発明は手術器具に関し、とりわけ、限定されないが、手術用メスに関する。
【背景技術】
【０００２】
水平なグリップ配置を備えた標準的なメスの柄は、人差し指、親指、および中指を適所で維持するための外形をした掴み面を提供しない。さらに、水平な本体部の柄のグリップ配置を備えた標準的なメスの柄では、指を刃に滑らせたり、指の間での回転を制御できなかったりすることがある。
【０００３】
メスのグリップのエルゴノミックス要件に関係する問題を処理するために、多くの革新的なメスの柄が設計されてきた。これらのなかには、メスの使用者を鋭い刃の危険性から保護するものもあり、例えば、特許文献１と特許文献２である。
【０００４】
Ｚｉｅｍｅｒに対する特許文献３は、視線を合わせる必要なくメスの刃を位置合わせすることを対象としている。この目的のために、３つの側面を含む柄領域が提供され、三角形状の包絡線を含む断面が結果として柄領域になり、かつ、側面の少なくとも１つに触覚で識別する特徴が与えられるように、該側面は配置される。柄領域の断面の三角形状の包絡線は、中指、親指、および人差し指でメスの刃用ホルダーを適切に握りやすくし、メスの刃用ホルダーとそれに固定されたメスは、指に対して、メスの刃用ホルダーの柄領域の中心軸のまわりにたった３回の異なる回転状態しか想定することができない。３回しか回転することができないように限定されているため、使用者は、メスの刃用ホルダーとそれに固定されたメスの位置合わせを触覚によって指で決めることになる。
【０００５】
特許文献４は、手術用の刃を取り外し可能に取り付けるためにホルダーを有するシャンクを含むメスを開示している。ホルダーは、一方の端部でシャンクと螺合し、シャンクに沿って軸方向にねじで留められるのに適したスリーブを含む。スリーブは、刃に固定されたボールを内部に収容するのに適したボールソケットを形成する。
【０００６】
特許文献５は、カッターとシャンクの遠位端に挿入される軸とを備えた刃を有する、内視鏡検査に用いられる狭窄メス（ｓｔｒｉｃｔｕｒｅ ｓｃａｌｐｅｌ）を開示している。
【０００７】
特許文献６は、管状の筐体と筐体内部を往復する継手とを有し、切断ヘッドまたは切刃と、切断ヘッドを選択的に筐体の外に伸長させるまたは筐体内に格納するために用いられる制御部材とを保持する、安全メスを開示している。筐体の内表面の管状の溝は、切断ヘッドを同時に並進させて、かつ筐体の長手軸のまわりを回転させるために使用されてもよい。切断ヘッドは、制御タブを押し込むことにより、または、筐体から制御タブを取り除くことにより、筐体内で固定することができる。
【０００８】
平らなまたは三角形の形をした装置は、柄がグリップのエルゴノミックス要件に十分に満たさないため、使用者にとっては快適ではない。平らな本体部の柄は指にとってざらつきのある掴み面を提供するが、小さすぎるか狭すぎるため、長時間快適に握ることができず、あるいは、握ると手の自由な動きを制限する。さらに、平らな本体の柄のグリップ配置は、使用者または患者の結果として生じる怪我のリスクを伴う指のずれや指の間での回転の危険性のない条件下では、基本的に１つの位置でしか使用することができない。三角形の断面を有するグリップは、方向の位置決めを容易にすることもあるが、しかしながら、これらはエルゴノミックスで快適な作業の解決策を提供するには至らない。三角形状の装置の１つの縁は使用者の指に深く食い込みかねない。
【０００９】
本出願人の名の下の特許文献７は、使用者の取っ手の位置決めを容易にするように設計された手術道具用の人間工学に基づいた柄を開示しており、これは、断面が実質的に卵形の長手方向に伸長する本体を備え、かつ、柄の近位端部に向かって位置付けられた４つの実質的に窪んだへこみが設けられており、第１の窪んだへこみは柄の上面に沿って設けられ、第２と第３のへこみは側面に沿って設けられ、第４のへこみは本体の底面に沿って設けられ、これらが互いに対して位置付けられることにより、使用者の親指、人差し指、そして中指に、隣接するインタフェースがそれぞれ与えられる。
【００１０】
深部手術のために構成されたものを含む既知のメスは多くの欠点に悩まされている。まず、指のグリップが刃に対して軸方向に固定されるため、既知のメスは左利きの使用者と右利きの使用者が等しく使用するようには適していない。従って、右利きの使用者のために十分に調整されたくぼみは、左利きの使用者の使用には快適ではなく、またその逆もしかりである。第２に、既知のメスは、指の相対的な位置を調整し、かつ、手術中にメスの刃の安定的な操作制御と位置合わせを保つ必要性により生じる、疲労を最小化する必要性に対処していない。
【００１１】
手術用メスと他の手術器具に関連してさらに考慮すべきことは、手術中の微調整の必要性である。したがって、メスの刃をごくわずかな制御された量だけ前方または横方向に動かす必要性が往々にしてある。これは非常に微妙なバランスを必要とし、外科医の手首に強い負担をかける。
【先行技術文献】
【特許文献】
【００１２】
【特許文献１】米国特許第５，５３１，７５４号
【特許文献２】米国特許第７，１０１，３８２号
【特許文献３】米国特許第７，１５０，７５４号
【特許文献４】米国特許第５，０５５，１０６号
【特許文献５】米国特許第６，４８２，２１９号
【特許文献６】米国２００５０２６７５０２号
【特許文献７】米国２０１０−０００５６３０号
【発明の概要】
【発明が解決しようとする課題】
【００１３】
したがって、本発明の目的は、従来のメスの欠点を緩和することであり、使用中により優れた直線と回転の制御を可能にするとともに左利きと右利きの外科医に快適なメスを提供することである。
【課題を解決するための手段】
【００１４】
この目的のために、本発明の１つの態様に従って、左利きまたは右利きの使用者による掴みと手動の調整を容易にするように構成された手術器具が提供され、前記手術器具は、
第１と第２の端部を有するロットであって、第１の端部が手術器具の作業端部に固定して取り付け可能であり、第２の端部が使用者の第１の手で掴むための回転方向性を備えた柄につながれ、
柄は、使用者が作業端部に対する指の角変位を調整することができるように、ロッドのまわりを回転可能である、ロッド、および、
面取りした（ｂｅｖｅｌｅｄ）くぼみが作業端部に対して快適に配置されている際に、ロッドに対する柄の回転を防ぐためのロック部材、を備えている。
【００１５】
本発明の別の態様に従って、左利きまたは右利きの使用者による掴みと手動の調整を容易にするように構成された手術器具が提供され、前記手術器具は、
第１と第２の端部を有するロットであって、第１の端部が取り付け台によって手術器具の作業端部に取り付け可能であって、第２の端部が使用者の第１の手で掴むのに適している、ロッド、および、
ロッドの第１と第２の端部の中間で取り付けられ、かつ、使用者の第２の手の指を収容するための面取りしたくぼみを有する、スライドスリーブを備える。
【００１６】
ロッドを十分に長くすることによって、そのような手術器具は深部外科手術に適してもよい。実際的な実施形態では、ロッドは、手術器具の用途に依存して様々な長さを有していてもよい。したがって、小型のロッドは、２．５ｍｍの直径と４．５ｃｍの長さを有していてもよく、中型のロッドは、４ｍｍの直径と２５ｃｍの長さを有してもよく、深部手術用のロッドは４−１２ｍｍの直径と、６０ｃｍを超える長さを有していてもよい。これらの寸法はもちろん典型的なものであり、制限することを意図したものではない。構造的剛性を改善するために、特に深部手術に使用されるロッドは、階段状の断面を有してもよく、好ましくはステンレススチールから形成される。
【００１７】
本発明のいくつかの実施形態において、ロッドに取り付けられ、かつ、使用者の第２の手の指を収容するための面取りしたくぼみを有する、少なくとも１つのスライドスリーブがさらに提供されてもよい。
【００１８】
柄は、使用者の手で掴まれた際に最適な快適さまたは有効性のために回転してもよいという意味で、回転方向性を有しており、手は使用者が左利きであるか右利きであるかに依存して左手でも右手でもよい。これにより、使用者が柄を快適に保持している際に、手術器具の作業端部は最適な有効性のために適切に方向づけられ得る。この目的のために、柄は人間工学に基づいた柄であってもよく、柄の上部の表面領域は、その遠位端部からその近位端部に向かって伸長するように形成され、近位端部の付近には窪んだへこみが設けられ、これは伸長して一段高い隆起部のような表面支持部になり、これは、柄の近位端部に向かって角をなして先細りになっている。このような柄は前述の特許文献７に記載されている。さらに、滅菌を困難にするその柔軟性または多孔性で知られているざらつきのあるグリップを使用するよりもむしろ、柄はざらつきのない材料から製造されてもよく、それによって、殺菌しやすい成形グリップが作られる。
【００１９】
別の態様に従って、本発明は、手術中の患者の横に据え付けられ、手術器具を支持するために使用されてもよく、手術器具を回転させて操作することを可能にする支点として役立つ、道具台を提供する。道具台は、内部でその柄を支持し、かつ、柄を横方向だけでなく上下両方に傾けることを可能にするために様々な幅の周辺溝を有する円筒状の棒であってもよい。棒は柄のくぼんだへこみの直径と同じ直径を有してもよく、したがって、柄を道具台で支持することが可能となる。１以上のスライドスリーブがロッドに取り付けられた実施形態では、ロッドの直径は、スライドスリーブを支持するために、面取りしたくぼみの直径と同じであってもよい。
【図面の簡単な説明】
【００２０】
本発明を理解し、かつ本発明がどのように実際に実施され得るかを確かめるために、添付の図を参照しつつ、ほんの非限定的な例としてここから実施形態を記載していく。
【００２１】
【図１ａ】本発明の異なる実施形態に係る手術用メスの絵入りの図である。
【図１ｂ】図１ａと２で描かれたメスの細部を絵によって示している。
【図２】本発明の異なる実施形態に係る手術用メスの絵入りの図である。
【図３ａ】図２に示される手術用メスの部分断面図である。
【図３ｂ】図２に示される手術用メスの拡大した断面図の詳細を示している。
【図３ｃ】図２に示される手術用メスの拡大した断面図の詳細を示している。
【図４ａ】異なる方向に配向するのに適した作業先端部を有している手術用メスを示す斜視図である。
【図４ｂ】異なる方向に配向するのに適した作業先端部を有している手術用メスを示す斜視図である。
【図５】本発明の他の実施形態に係る随意の特徴を有する高精度な手術器具を示す絵入りの図である。
【図６】図５に示される手術器具に関連して取り付けられてもよい随意の付属物の細部を示す絵入りの図である。
【図７ａ】手術器具の作業端部に対して付属物の移動を概略的に示す。
【図７ｂ】手術器具の作業端部に対して付属物の移動を概略的に示す。
【図８ａ】スライドスリーブに取り付けられた補助道具のさらなる実施形態を示す絵入りの図である。
【図８ｂ】スライドスリーブに取り付けられた補助道具のさらなる実施形態を示す絵入りの図である。
【図９ａ】手術器具を支持するための道具台を概略的に示す。
【図９ｂ】道具台によって枢動可能な支持に適したスリーブの拡大した細部を示している。
【図１０ａ】異なる実施形態に係るカスケード式（ｃａｓｃａｄｅｄ）の手術器具を示す。
【図１０ｂ】異なる実施形態に係るカスケード式（ｃａｓｃａｄｅｄ）の手術器具を示す。
【図１０ｃ】異なる実施形態に係るカスケード式（ｃａｓｃａｄｅｄ）の手術器具を示す。
【図１０ｄ】手術器具の柄を固定するための代替的なロック部材の細部を示す。
【発明を実施するための形態】
【００２２】
いくつかの実施形態の以下の記載では、２以上の図で現れる、または、同様の機能性を共有する、同一の構成要素は、同一の参照記号によって参照される。
【００２３】
図を参照すると、第１の端部（１２ａ）と第２の端部（１２ｂ）とを有するロッド（１１）を含む（手術器具を構成する）手術用メス（１０）が示されている。第１の端部（１１）はメスの作業端部を構成する刃（１３）に固定して取り付け可能であり、第２の端部（１２ｂ）は、使用者の第１の手の指を収容するために、１以上の面取りしたくぼみ（１５）を有する柄（１４）につながれる。このような柄は、使用者の手で掴まれた際に最適な快適さのために回転してもよいという意味で回転方向性を有しており、手は使用者が左利きであるか右利きであるかに依存して左手でも右手でもよい。図１ｂで示されるように、刃（１３）は、金属鋳造または例えばポリフェニルスルホン（ＰＰＳＵ）から形成されたプラスチック成形により作られた取り付け台（１６）に固定して支持され、相補的な外部のねじ山をロッドに係合するために、内部にねじの刻設された端部を有しており、これにより、刃はロッドに固定して取り付け可能となり得る。取り付け台（１６）は、同様に、使用者が親指と人差し指の間でこれを掴むか、または、一本の指で刃を支持することを可能にするために、１つ以上の窪んだくぼみを有してもよく、それによって、使用中の正確な支持と調整を容易にする。取り付け台（１６）は、他の方法、例えば、溶接、接着、圧着などによって、ロッドに取り付けられてもよい。同様に、道具は刃である必要はなく、本発明は、プローブ、針、照明器具、鏡、温度圧力装置などのような他の作業端部を企図している。作業端部は焼灼ヘッドであり得る。作業端部はカニューレ（電気モーターまたは空気推進式モーター）であってもよい。くぼみのおかげで、より精密な作業のための支持部として使用者の小指をさらに近くに固定することが可能となる。精密な作業のために使用者の掴みが柄の前部に近ければ近いほど、手術器具を効率的に使用しやすくなる。
【００２４】
図３ｃで示されるように、柄（１４）は、ロッドを収容する寸法をした軸方向穴部（１８）と、端部とを有する、一般に円筒状の本体（１７）を有しており、端部には、ロッドの端部の外部のねじ山に相補的な内部のねじ山（１９）がある。ロッド（１１）は、内部のねじ山に達するまで、柄の軸方向穴部（１８）に挿入される。その後、ロッドの一部が柄の開放端を通って突出するまで、柄（１４）はロッド（１１）にねじ込まれる。いったん柄のねじ山とロッドが係合すると、柄を回せば面取りしたくぼみ（１５）の回転を引き起こし、それによって、使用者は手首を返す必要なく、刃の所望の方向に位置あわせることが可能となる。蓋の形をしたロック部材（２０）は、柄（１４）の端部を通って突出するロッド（１１）の一部のねじ山に相補的な内部のねじの刻設された穴部を有する。蓋は、柄の端部に摩擦により圧力をかけるまで、突出したロッドに締め付けられ、その結果、ロッドに対する柄のさらなる回転を防ぐ。ロッドは円形の断面であってもよい。あるいは、ロッドは、面取りしたくぼみ（１５）に対するロッドの回転移動を防ぐために、非円形の断面であってもよい。
【００２５】
代替的な実施形態では、ロック部材は、ロッドを収容する柄の内部のコレットを含んでもよく、コレットには、ロッドに柄を固定するために、放射状の刃止めねじによって半径方向の圧力が加えられてもよい。
【００２６】
いくつかの実施形態では、柄（１４）には、柄（１４）の近位端部に隣接する４つの窪んで成形されたへこみ（１５）がある。へこみの２つはそれぞれ中指と親指を収容するように設計されており、一方で、残りの２つのへこみは、それぞれ人差し指と中指を一般に収容するように設計され、それによって、使用者が掴みやすいようになっている。したがって、使用者の指は、使用中、柄の掴み位置に制限されない。本発明の実施形態に係るへこみの一般的な構造により、使用者は、様々な掴み位置で柄（１４）を快適に掴むことができる。刃を左右に移動させるとき、刃に対して軸方向に柄を回転させる方が外科医にとって快適なこともある。上記のように、これは、柄がロッドに取り付けられる方法によって容易になる。
【００２７】
図２〜４で示されるように、ロッド（１１）に取り付けられ、かつ、使用者の第２の手の指を収容するための面取りしたくぼみ（２６）を有する、少なくとも１つのスライドスリーブ（２５）が随意に提供されてもよい。このような２つのスリーブが例えば図２に示されるように設けられている場合、１つはロッドに沿ってかなり自由にスライドするような寸法で作られており、その一方で、もう一つのスリーブは、ロッドを摩擦で把持するような寸法で作られ、必要に応じてそれを動かせるようになっている。このような手段によって、スライドスリーブ（２５）の１つは使用者の第２の手で掴まれ、メスが使用者の第１の手を使って調整されるようになっている。もう１つのスライドスリーブは、刃が行き過ぎるのを防ぐ安全止めとして役立つこともある。
【００２８】
別の態様に従って、本発明は、手術中の患者の横に据え付けられ、道具を支持するために使用され、道具の回転と操作を可能にする支点として役立つ、道具台を提供する。道具台は、手術器具の柄または内部のロッドを支持し、かつ、それを横方向だけでなく上下両方に傾けることを可能にするために様々な幅の周辺溝を有する円筒状の棒であってもよい。棒は、柄の窪んだへこみの直径と同じ直径を有してもよく、したがって、柄を道具台で支持することが可能となる。１つ以上のスライドスリーブがロッドに取り付けられた実施形態では、ロッドの直径は、スライドスリーブを支持するために、面取りしたくぼみの直径と同じであってもよい。道具台は、外科的切開または創傷の端を分離させるために、または、深部の臓器および組織を抑えるために、外科医によって使用される開創器で支持されてもよく、そうすることで、切開の下の身体部分にアクセスできる。これにより、切断される身体組織に非常に密接することが可能となり、ゆえに、外科医は、肉体的な負担が減り、密接にアクセスし、制御しやすくすることが可能となる。棒は断面が一様に円形である必要がないことに留意されたい。例えば、棒は、面取りしたくぼみに対して一般的に相補的な形状の弓形の島を備えた正方形の断面であってもよい。
【００２９】
ここまで記載された実施形態では、柄は手術器具の重大な特徴であり、手術器具は外科医の片手で掴めるように構成されている一方で、手術器具の作業端部はもう片方の手で操作される。しかしながら、外科医が片手でスライドスリーブを掴み、もう片方の手で作業端部を操作するように、手術器具が柄によってではなくむしろスライドスリーブによって操作される例があってもよい。一般に柄は設けられるが、手術器具を操作する際には使用されないため、回転方向性は必要とはされない。このような実施形態に係る手術器具は、したがって、第１と第２の端部を有するロッドであって、第１の端部が手術器具の作業端部に取り付け可能であり、第２の端部が使用者の第１の手で掴むのに適している、ロッドと、ロッドの第１と第２の端部の中間で取り付けられ、かつ、使用者の第２の手の指を収容するために面取りしたくぼみを有する、スライドスリーブを備える。
【００３０】
したがって、様々な実施形態の以下の記載では、手術器具が、作業端部と、柄と作業端部の中間にあるスリーブとを介して操作される場合、柄は回転方向性を有しても有していなくてもよく、実際にはすべて省略され得ることに留意されたい。
【００３１】
図５は、本発明の他の実施形態に係る随意の特徴を備えた高精度の手術器具（１００）を絵入りで示している。実例として、ロッド（１１）は、その第１の端部（１２ａ）で手術器具の作業端部（１１３）を支持し、反対の端部で柄（図示せず）を支持している。柄は、図１〜４を参照して上記のように柄（１４）と同一であってもよい。あるいは、柄は回転方向性を欠いてもよい。手術器具（１００）はプローブとして示されており、これは、電気素子などを有する切削道具または焼灼ヘッドでもあり得る。これは、歯や骨の手術で使用されるようなドリル、あるいは、患者から組織または他の人工産物を摘出するためのフック要素でもあり得る。作業端部（１１３）がドリルである場合、先端（１１４）は、ドリルの回転バレルまたはチャックであってもよく、後部部分（１１５）は、使用者が快適に掴めるように形作られてもよい。いくつかの実施形態では、作業端部（１１３）は面取りした取り付け台（１１６）に固定されてもよく、取り付け台は、作業端部をその端部の近くで掴めるように、かつ、作業端部を詰まらせることなく回転させるように、形作られて寸法を合わせてもよい。面取りした取り付け台（１１６）は、ロッド（１１）の第１の端部（１２ａ）に固定される。いくつかの実施形態では、面取りした取り付け台（１１６）は、ロッド（１１）の端部に固定して据え付けられる。しかしながら、図５に概略的に示されるように、取り付け台は、作業端部（１１３）を突き出したり引っ込めたりするために、スライド移動ができてもよい。この目的のために、取り付け台（１１６）は、ロッドの端部上でスライドするとともに、押し下げるとスライドでき、解除すると取り付け台を適所でロックする簡易な指型解除器（ｑｕｉｃｋ  ｆｉｎｇｅｒ  ｒｅｌｅａｓｅ）を有する、セルフロック式の環を含んでもよい。あるいは、ロックナット（１１７）は、取り付け台（１１６）を固定し、かつ、さらなるスライドを防ぐために、設けられてもよい。
【００３２】
いくつかの実施形態において、ロッド（１１）の第１の端部は、往復の微小な運動に適している。これは（１１８）として概略的に示されたねじの刻設された軸受によって達成されてもよく、軸受は、適所で固定して留められるスリーブ（１２０）内部のギザギザのあるホイール（１１９）によって回転可能である。ホイール（１１９）を回すとねじの刻設された軸受（１１８）が回転し、それによって、ギザギザのあるホイール（１１９）の回転方向に依存する方向に、ロッド（１１）の直線運動が引き起こされる。ロッド（１１）の直線運動の範囲を測定するために、必要に応じて、デジタル式のカリパス（１２１）が、取り付け台（１１６）または取り付け台に取り付けられた付属物に取り付けられてもよい。デジタル式のカリパス（１２１）は適所に固定された棒（１２２）に沿って支えられる。図では、固定装置は、地面に直接的または間接的に固定されたブロック（１２３）によって表わされている。ロッドの所望の直線移動を設定するために、ギザギザのあるホイール（１１９）は、制御装置（１２４）に応答性よくつながれている。制御装置は、ねじの既知のピッチに基づいて必要とされる直線移動を達成するために、適切な角変位によってギザギザのあるホイール（１１９）を回転させるのに適している。
【００３３】
同様に、作業端部（１１３）に向かってロッド（１１）に取り付けられる付属物（１２５）が図５に示されている。付属物（１２５）は、ロッドに固定してまたは摺動自在に取り付けられ得る取り付け台（１２６）を備え、これは、付属物（１２５）を保持および操作するために補助のスタッフを必要とすることなく手術手順が行われるように、作業端部（１１３）と共に使用される少なくとも１つの補助道具を支持する。
【００３４】
図６は、作業端部（１１３）として使用される焼灼先端またはドリルとともに用いるのに適した付属物（１２５）の細部を示しており、これは、流体（すなわち、気体または液体）を作業端部に／から運ぶために、取り付け台（１２６）の内部で支持される第１と第２の管（１２７および１２８）を含んでいる。好ましくは、取り付け台（１２６）は、ロッドの端部上をスライドするとともに、押し下げるとスライドでき、解除すると取り付け台を適所でロックする簡易な指型解除器を有する、セルフロック式の環である。これにより、図７ａ、７ｂ、８ａ、および８ｂに記載されるように、付属物（１２５）を作業端部（１１３）に対して移動させることが可能となる。第１の管（１２７）は、作業端部を冷やすか、または、砕片や煙を取り除くために、作業端部（１１３）に向かって空気または水の噴出物または噴霧を方向づける、空気や水などの切削剤の源につながれる。第２の管（１２８）は、煙、砕片、および液体を取り除くために真空源につながれ、そうすることで、外科医にクリアな視野を維持する。管（１２７）および（１２８）は、医療用シリコーンまたは他の適切な材料から作られてもよい。光を視野に方向づけるために、作業端部（１１３）の取り付け台（１１６）に照明装置（１２９）も固定されてもよい。いくつかの実施形態では、取り付け台（１１６）はロッド（１１）上で回転可能であるため、付属物（１２５）とは無関係に照明装置（１２９）を回転させることが可能となる。あるいは、照明装置（１２９）は、付属物（１２５）の取り付け台（１２６）に取り付けられてもよい。
【００３５】
図７ａは、付属物（１２５）が使用前に引っ込められている初期の位置を示している。図７ｂは、図６に示されて上記に詳細に記載された状況に対応する操作位置への付属物（１２５）の前進移動を描いている。
【００３６】
図８ａは、補助道具（１３０）がスライドスリーブ（２５）に取り付けられ、作業端部（１１３）に対するスライド移動に適しているさらなる実施形態を示す絵入りの図である。スライドスリーブ（２５）は、ロッドの端部上をスライドするとともに、押し下げるとスライドでき、解除すると取り付け台を適所でロックする簡易な指型解除器を有する、セルフロック式の環であってもよい。補助道具（１３０）は鏡であってもよく、その背面も、作業端部（１１３）に妨げられることなくアクセスできるように、材料を移動させる保護物として使用されてもよい。あるいは、補助道具（１３０）は、外科医が視野を見ることができるように、表示装置につながれ得る画像化装置であってもよい。いくつかの実施形態では、２以上の補助道具がスライドスリーブ（２５）に取り付けられてもよい。
【００３７】
図８ｂは、フックによって描かれた、かつ、手術器具の作業端部を構成する、摘出道具（１３１）に対するスライド移動のための突っ張り要素（ｂｒａｃｉｎｇ  ｅｌｅｍｅｎｔ）として構成された付属物（１２５）の別の実施形態を示している。摘出道具（１３１）は、体組織、例えば、歯を摘出するのに適している。突っ張り要素は、取り付け台（１２６）に固定され、かつ、先端部（１３３）を末端とする、一対の対向する脚部（１３２）を有している。歯を摘出するために使用される際には、摘出道具にてこの作用を与えるべく、先端部（１３３）が歯にまたがって患者の歯肉で支持されるように、突っ張り要素は調整される。
【００３８】
図９ａは、手術器具（１０）を支持するための道具台（１３５）を概略的に示している。道具台（１３５）は１対の脚部（１３７）上で安定して支持された棒（１３６）を備え、脚部の高さは、作業領域よりも上の所望の高さで棒（１３６）の位置を決めるように調整されてもよい。脚部（１３７）は伸縮自在に調整可能であるか、または、角度を変えることが可能である。手術器具（１００）のスリーブ（２５）は棒（１３６）に支持され、棒は、使用中に手術器具の回転と操作を可能にする支点として役立つ。スリーブ（２５）は、単に支持棒（１３６）に載せられるだけでもよく、または、スリーブには、図９ｂで示されるように、棒（１３６）が収容される横方向の穴部（１４０）があってもよい。前に示したように、棒は断面が一様に円形である必要はない。スリーブが棒上での回転軸の支持に適している場合、穴部（１４０）は、スリーブ内部での回転に適した、かつ、棒に対して相補的な形状の穴部を有する、軸受の一部であってもよい。軸受は、器具を高度と方位角の両方で回転させることを可能にする球面軸受であってもよい。水平面での棒（１３６）の回転を可能にすることによって同じ効果が実現されてもよく、この場合、方位角ではなく高度での手術器具の回転を可能にするために、手術器具が棒（１３６）に固定されてもよい。さらに別の実施形態では、スリーブは棒（１３６）で支持された中間要素に支持されてもよい。中間要素は球面軸受で支持され、棒に対する高度と方位角の両方での回転を可能にしてもよく、それは堅く安定して支持されてもよい。
【００３９】
道具台（１３５）は手術器具の精密な調整を容易にするだけでなく、２つ以上の手術器具をカスケードに取り付けることを可能にする。そのような配置は図１０ａで概略的に示されており、１対のカスケード式の手術器具のそれぞれのスリーブ（２５）は連結要素（１４２）によって留められる。スリーブのおかげで、両方の手術器具のロッドを軸方向に独立して回転させ、道具台に対して前後にスライドさせることが可能となる。図１０ｂは代替的な実施形態を示しており、２つの手術器具のロッドはそれ自体が連結要素（１４２）によって固定されている。手術器具の１つは切削工具（１４３）として示され、他の手術器具（１４４）は深さゲージあるいは遮蔽要素または移動要素として示されている。図１０ａの実施形態で使用される際、深さの設定を可能にするために、それは、切削工具（１４３）とは無関係に前後に動かされてもよい。図１０ｂの実施形態において遮蔽要素として使用される際、遮蔽要素は固定され、その垂直な先端は、遮蔽要素に対してスライド移動することができる切削工具（１４３）の見通し線（ｌｉｎｅ  ｏｆ  ｓｉｇｈｔ）に重なるように、伸長させてもよい。示されている遮蔽要素（１４４）の開口部（１４５）は、図１０ｃで示されるように、切削工具（１４３）と位置合わせされることで、周囲の組織に損傷を与えるリスクなく、開口部（１４５）を通って切削工具を皮膚に貫通させることが可能となる。遮蔽要素（１４４）は、周囲の組織への熱の流れを阻害する断熱材料から形成されてもよい。図１０ｄは、カスケード式の手術器具の柄がそれぞれのロット上でロックされなければならないため、柄をロッド上の適切な位置で固定することを可能にする、六角ボルト（１４６）などの小型の六角ねじの形の代替的なロック部材の細部を示している。これらの実施形態における両方の手術器具のそれぞれの柄（１４）は、その面取りした柄が外科医のどちらかの手で最適に位置づけられるように、それぞれのロッドに対する柄の回転を可能にするべく、回転方向性を有している。同様に、両方の手術器具の作業端部は、ロッドに沿ったスライド移動に適していてもよく、使用前にロックされてもよい。ここでも、これは、それぞれの手術器具の取り付け台でセルフロック式の環を使用して達成されてもよい。
【００４０】
本発明は前述の例証された実施形態の細部に限定されるものではない。したがって、本実施形態はすべての点において例証的なものであり、かつ、限定的なものではないとみなされるべきであり、本発明の範囲は、前述の記載よりもむしろ添付の請求項によって示されている。
【００４１】
これゆえ、例えば、必要に応じて、柄の回転方向性は面取りしたくぼみを用いて達成されてもよいが、これは、あらかじめ定めた方向に柄を掴むことを容易にする、均一でない断面の柄を使用するなどの他の方法でも得られ得ることに留意されたい。
【００４２】
本発明はとりわけ手術用メスを参照して記載されているが、本発明は、微調整が必要とされる他の手術器具についても応用されることに留意されたい。
【００４３】
さらに、手術器具の構成要素はすべて、この道具を再利用することができるように使用後に殺菌可能な材料から作られてもよい。あるいは、この道具は使用後に使い捨てされてもよい。
【００４４】
記載された特徴の多くは組み合わせて使用されてもよく、このような組み合わせが明示的に記載され例証されているかどうかにかかわらず、請求項はこのような組み合わせをすべて包含することを意図していることにも留意されたい。
【図１ａ】
2015517354.tif 000003
【図１ｂ】
2015517354.tif 000004
【図２】
2015517354.tif 000005
【図３ａ−３ｃ】
2015517354.tif 000006
【図４ａ】
2015517354.tif 000007
【図４ｂ】
2015517354.tif 000008
【図５】
2015517354.tif 000009
【図６】
2015517354.tif 000010
【図７ａ】
2015517354.tif 000011
【図７ｂ】
2015517354.tif 000012
【図８ａ】
2015517354.tif 000013
【図８ｂ】
2015517354.tif 000014
【図９ａ】
2015517354.tif 000015
【図９ｂ】
2015517354.tif 000016
【図１０ａ】
2015517354.tif 000017
【図１０ｂ】
2015517354.tif 000018
【図１０ｃ】
2015517354.tif 000019
【図１０ｄ】
2015517354.tif 000020
【国際調査報告】
2015517354.tif 000021
2015517354.tif 000022
2015517354.tif 000023
2015517354.tif 000024
2015517354.tif 000025